(57)【要約】【課題】光ディスク装置のディスクアクセス時間を短縮する。【解決手段】光ピックアップ制御装置が、目標アドレス格納領域を持ち、アドレス検出装置から直接現在アドレスを取得できる構成にしたことにより、コントローラの指示を待つことなく、光ピックアップが目標アドレスへ到達するよう制御する。【選択図】　図１
2004022091.tif 000002
【特許請求の範囲】
【請求項１】
光ディスクから情報を読み出す光ピックアップと、前記光ピックアップの位置を制御する光ピックアップ制御装置と、前記光ディスクの位置を示すアドレス情報を検出するアドレス検出装置と、光ピックアップの移動位置を指示するコントローラから成る光ディスク装置において、前記光ピックアップ制御装置は前記コントローラから指示される目標アドレスを格納する目標アドレス格納手段を持ち、前記格納手段のアドレス情報と前記アドレス検出装置からのアドレス情報とが一致するまで前記光ピックアップを移動させることを特徴とする光ディスク装置。
【請求項２】
前記光ピックアップ制御装置は、前記コントローラからの移動指示を受け移動完了後、前記目標アドレス格納手段のアドレス情報と前記アドレス検出装置からのアドレス情報とが一致するまで、前記光ピックアップを移動させることを特徴とする光ディスク装置。
【請求項３】
前記光ピックアップ制御装置は、前記目標アドレス格納手段の情報に基づいて予め定めた目標範囲を作成し、前記アドレス検出装置から読みだしたアドレス情報が前記目標範囲内になるまで、前記光ピックアップを移動させることを特徴とする請求項１および２に記載の光ディスク装置。
【請求項４】
前記目標範囲は、前記コントローラから設定可能な構成とすることを特徴とする請求項３に記載の光ディスク装置。
【請求項５】
前記目標範囲を目標上限および目標下限として設定可能な構成とすることを特徴とする請求項４に記載の光ディスク装置。
【請求項６】
前記アドレス情報は、ＣＤ−ＲＯＭフォーマットにおける再生時間情報（サブコード内のＭＳＦ）を利用することを特徴とする請求項１から３に記載の光ディスク装置。
【請求項７】
前記アドレス情報は、ＤＶＤ−ＲＡＭフォーマットにおけるＣＡＰＡ（Ｃｏｍｐｌｅｍｅｎｔａｒｙ　Ａｌｌｏｃａｔｅｄ　Ｐｉｔ　Ａｄｄｒｅｓｓ）情報を利用することを特徴とする請求項１から３に記載の光ディスク装置。
【請求項８】
前記アドレス情報は、ＤＶＤ−ＲＡＭフォーマットにおけるＤＡＴＡ　ＩＤ情報を利用することを特徴とする請求項１から３に記載の光ディスク装置。
【発明の詳細な説明】
【０００１】
【発明の属する技術分野】
本発明は、光ディスク装置（例えば、ＣＤ−ＲＯＭ、ＤＶＤ−ＲＯＭなど）において光ピックアップを目的位置へ移動させるためのディスクアクセス制御方法に関するものである。
【０００２】
【従来の技術】
図５は、従来の光ディスク装置の構成を示すブロック図である。図５を用いて、従来の光ディスク装置におけるディスクアクセス制御方法を説明する。図５において、１０１は光ディスク、１０２はスピンドルモータ制御装置、１０３はスピンドルモータ、１０４は光ピックアップ、１０５は光ピックアップ制御装置、１０６はアドレス検出装置、１０７は読み出されたデータ、１０８は現在アドレス、１０９はコントローラ、１１０は目標アドレス、１１１はアドレス−トラック変換装置、１１２はブレーキ本数算出装置、１１３はトラッククロス信号、１１４はトラック数検出装置、１１５は移動トラック数、１１６はブレーキ本数、である。
【０００３】
以上のように構成された光ディスク装置のディスクアクセス制御動作を説明する。光ディスク装置に装着された光ディスク１０１は、スピンドルモータ制御装置１０２によって、角速度一定または線速度一定となるように回転制御されたスピンドルモータ１０３により回転する。回転している光ディスク１０１からデータを読み出すためには、光ピックアップ制御装置１０５の２種類の制御モードが用いられる。すなわち、ディスク回転によるトラックの変位に追従するトラッキング制御モードと、光ピックアップ１０４を目的トラックへ移動させるアクセス制御モードである。
【０００４】
まず、ディスクからデータを読み出している場合、光ピックアップ制御装置１０５はトラッキング制御モードの状態で、光ピックアップ１０４はトラックに追従している。この時、アドレス検出装置１０６は、光ピックアップ１０４から読み出されたデータ１０７に含まれるアドレス情報を検出して現在アドレス１０８として保持する。
【０００５】
次に、外部からコントローラ１０９に対して目標アドレス１１０が与えられると、コントローラ１０９は、アドレス−トラック変換装置１１１を使って、アドレス検出装置１０６が検出した現在アドレス１０８と目標アドレス１１０をそれぞれトラック番号に変換し（▲１▼）、光ピックアップ１０４の移動方向１１７と移動トラック数１１５を求める。すなわち、現在アドレス１０８のトラック番号が目標アドレス１１０のトラック番号よりも大きい場合は内周方向、逆に小さい場合は外周方向、になるよう移動方向１１７を求める。移動トラック数１１５は、現在アドレス１０８のトラック番号と目標アドレス１１０のトラック番号の差から求める。また、移動トラック数１１５に対応したブレーキ本数１１６を、ブレーキ本数算出装置１１２によって求める。コントローラ１０９は、前記方法によって求めた移動方向１１７と移動トラック数１１５とブレーキ本数１１６を光ピックアップ制御装置１０５へ複写し（▲２▼）、光ピックアップ制御装置１０５をアクセス制御モードに変更する。
【０００６】
光ピックアップ制御装置１０５は、与えられた移動方向１１７と移動トラック数１１５に対応した駆動信号を出力し、光ピックアップ１０４を駆動する（▲３▼）。光ピックアップ１０４が駆動され移動することによって発生するトラッククロス信号１１３は、トラック数検出装置１１４によってカウントされ（▲４▼）、光ピックアップ制御装置１０５にフィードバックされる（▲５▼）。光ピックアップ制御装置１０５は、移動トラック数１１５とトラック数検出装置１１４によってカウントされたトラックカウント１１８が一致するまで、光ピックアップ１０４を駆動する。ブレーキ本数１１６は、残り移動本数、すなわち、移動トラック数１１５とトラックカウント１１８の差、がブレーキ本数１１６と一致した時に、光ピックアップ１０４を停止する駆動信号を出力するために利用される。
【０００７】
光ピックアップ制御装置１０５は、指定された移動トラック数１１５の本数に応じて、トラバースシークまたはトラックジャンプを実行する。トラバースシークは、移動トラック数が多い場合に、光ピックアップ１０４が高速で動作するよう駆動信号を出力し、トラックカウント１１８を検出する。一方、トラックジャンプは、移動トラック数が数本の場合に、１本ずつトラックを移動させる駆動信号出力を、移動トラック数１１５回分繰り返す。すなわち、トラバースシークは高速で精度が粗い移動に、トラックジャンプは低速で精度が細かい移動に利用される。
【０００８】
光ピックアップ制御装置１０５は、移動トラック数１１５とトラックカウント１１８が一致すると、光ピックアップ１０４の駆動を停止し、制御モードをトラッキング制御モードに戻し、コントローラ１０９に終了を通知する（▲６▼）。終了通知を受け取ったコントローラ１０９は、再度、アドレス検出装置１０６から現在アドレス１０８を取得し、現在アドレス１０８と目標アドレス１１０が一致しているかどうか判定する。もし、両者が一致していない場合には、上記▲１▼から▲６▼を、現在アドレス１０８と目標アドレス１１０が一致するまで繰り返す。
【０００９】
図６に、上記の従来の光ディスク装置におけるディスクアクセス制御方法のタイミングチャートを示す。コントローラ１０９によって、目標アドレス１１０と光ピックアップ１０４が位置する現在アドレス１０８が一致するまで、上記▲１▼から▲６▼の手順が繰り返し実行される。
【００１０】
【発明が解決しようとする課題】
従来の光ディスク装置は以上のように構成されており、光ピックアップを移動させて、目標アドレスと現在アドレスが一致するように、コントローラが制御するものであった。しかしながら上記従来の構成では、コントローラがアドレス検出装置から現在アドレスを取得するために費やす時間、コントローラが光ピックアップ制御装置へ移動方向、移動トラック数、ブレーキ本数を複写するために費やす時間、コントローラが光ピックアップ制御装置から終了通知を受信するために費やす時間が長い場合には、ディスクアクセス全体の時間が長くなってしまうというという問題点があった。
【００１１】
例えば、コントローラが一般的なＣＰＵで構成され、アドレス検出装置、光ピックアップ装置、トラック数検出装置などが１チップのシステムＬＳＩで構成されている場合、上記の時間は、ＣＰＵとシステムＬＳＩとの間の通信時間、すなわち、チップ間の通信時間となり、ＣＰＵ内部間あるいはシステムＬＳＩ内部間のチップ内の通信時間に比べて、長い時間を費やすことになる。
【００１２】
本発明は、以上の問題点を解消するためになされたもので、光ピックアップを目標アドレスへ高速に移動させるディスクアクセス制御方法を提供することを目的とする。
【００１３】
【課題を解決するための手段】
上記の課題を解決するために、本発明の光ディスク装置は、光ピックアップ制御装置に移動位置を示す目標アドレスを格納する目標アドレス格納手段を設け、コントローラから光ピックアップの移動指示がなされたとき、移動指示に従って光ピックアップを移動した後、前記目標アドレス格納手段にあるアドレス情報とアドレス検出手段から出力されるアドレス情報とを比較し、一致するまでトラックジャンプを行う。このトラックジャンプは、コントローラを介さずに行われるため光ピックアップの高速な移動が可能になる。
【００１４】
【発明の実施の形態】
請求項１に記載の発明は、光ディスクから情報を読み出す光ピックアップと、前記光ピックアップの位置を制御する光ピックアップ制御装置と、前記光ディスクの位置を示すアドレス情報を検出するアドレス検出装置と、光ピックアップの移動位置を指示するコントローラから成る光ディスク装置において、前記光ピックアップ制御装置は前記コントローラから指示される目標アドレスを格納する目標アドレス格納手段を持ち、前記格納手段のアドレス情報と前記アドレス検出装置からのアドレス情報とが一致するまで前記光ピックアップを移動させることを特徴とする光ディスク装置であり、高速に光ピックアップを移動することが出来る。
【００１５】
請求項２に記載の発明は、前記光ピックアップ制御装置は、前記コントローラからの移動指示を受け移動完了後、前記目標アドレス格納手段のアドレス情報と前記アドレス検出装置からのアドレス情報とが一致するまで、前記光ピックアップを移動させることを特徴とする光ディスク装置であるので、高速に光ピックアップを移動することが出来る。
【００１６】
請求項３に記載の発明は、前記光ピックアップ制御装置は、前記目標アドレス格納手段の情報に基づいて予め定めた目標範囲を作成し、前記アドレス検出装置から読みだしたアドレス情報が前記目標範囲内になるまで、前記光ピックアップを移動させることを特徴とする請求項１および２に記載の光ディスク装置。　高速に光ピックアップを移動することが出来る。
【００１７】
請求項４に記載の発明は、前記目標範囲は、前記コントローラから設定可能な構成とすることを特徴とする請求項３に記載の光ディスク装置であり、正確にディスクの位置を知ることができる。
【００１８】
請求項５に記載の発明は、前記目標範囲を目標上限および目標下限として設定可能な構成とすることを特徴とする請求項４に記載の光ディスク装置であり、正確なディスクの位置を知ることができる。
【００１９】
請求項６に記載の発明は、前記アドレス情報は、ＣＤ−ＲＯＭフォーマットにおける再生時間情報（サブコード内のＭＳＦ）を利用することを特徴とする請求項１から３に記載の光ディスク装置であり、正確なディスクの位置を知ることができる。
【００２０】
請求項７に記載の発明は、前記アドレス情報は、ＤＶＤ−ＲＡＭフォーマットにおけるＣＡＰＡ（Ｃｏｍｐｌｅｍｅｎｔａｒｙ　Ａｌｌｏｃａｔｅｄ　ＰｉｔＡｄｄｒｅｓｓ）情報を利用することを特徴とする請求項１から３に記載の光ディスク装置であり、正確なディスクの位置を知ることができる。
【００２１】
請求項８に記載の発明は、前記アドレス情報は、ＤＶＤ−ＲＡＭフォーマットにおけるＤＡＴＡ　ＩＤ情報を利用することを特徴とする請求項１から３に記載の光ディスク装置であり、正確なディスクの位置を知ることができる。
【００２２】
【発明の実施の形態】
（実施の形態１）
以下に、本発明の実施の形態１における光ディスクのディスクアクセス制御方法について、図１を用いて説明する。図１において図５と同一符号は同一、または相当部分を示し、本発明における光ディスク装置が従来と異なる構成として、光ピックアップ制御装置１０５内に目標アドレス１１９を格納する領域を備え、コントローラ１０９が保持する目標アドレス１１０を目標アドレス１１９へ複写することができる点と、アドレス検出装置１０６が保持する現在アドレス１０８を光ピックアップ制御装置１０５が取得することができる点にある。すなわち、光ピックアップ制御装置１０５は、目標アドレス１１９と現在アドレス１０８を比較して、両者が一致していなければ、両者の大小関係から移動方向を算出して、コントローラ１０９の指示を待つことなく光ピックアップ１０４を移動させることが可能となる。
【００２３】
以上のように構成された光ディスク装置のディスクアクセス制御方法について、その動作を以下に説明する。光ディスク装置に装着された光ディスク１０１は、スピンドルモータ制御装置１０２によって、角速度一定または線速度一定となるように回転制御されたスピンドルモータ１０３により回転する。回転している光ディスク１０１からデータを読み出すためには、光ピックアップ制御装置１０５の２種類の制御モードが用いられる。すなわち、ディスク回転によるトラックの変位に追従するトラッキング制御モードと、光ピックアップ１０４を目的トラックへ移動させるアクセス制御モードである。
まず、ディスクからデータを読み出している場合、光ピックアップ制御装置１０５はトラッキング制御モードの状態で、光ピックアップ１０４はトラックに追従している。この時、アドレス検出装置１０６は、光ピックアップ１０４から読み出されたデータ１０７に含まれるアドレス情報を検出して現在アドレス１０８として保持する。
【００２４】
次に、外部からコントローラ１０９に対して目標アドレス１１０が与えられると、コントローラ１０９は、アドレス−トラック変換装置１１１を使って、アドレス検出装置１０６が検出した現在アドレス１０８と目標アドレス１１０をそれぞれトラック番号に変換し（▲１▼）、光ピックアップ１０４の移動方向１１７と移動トラック数１１５を求める。すなわち、現在アドレス１０８のトラック番号が目標アドレス１１０のトラック番号よりも大きい場合は内周方向、逆に小さい場合は外周方向、になるよう移動方向１１７を求める。移動トラック数１１５は、現在アドレス１０８のトラック番号と目標アドレス１１０のトラック番号の差から求める。また、移動トラック数１１５に対応したブレーキ本数１１６を、ブレーキ本数算出装置１１２によって求める。
【００２５】
ここまでの動作は、従来の光ディスク装置のディスクアクセス制御方法と同様である。
【００２６】
次に、コントローラ１０９は、前記方法によって求めた移動方向１１７と移動トラック数１１５とブレーキ本数１１６、および、目標アドレス１１０を目標アドレス１１９として光ピックアップ制御装置１０５へ複写し（▲２▼’）、光ピックアップ制御装置１０５をアクセス制御モードに変更する。
光ピックアップ制御装置１０５は、与えられた移動方向１１７と移動トラック数１１５に対応した駆動信号を出力し、光ピックアップ１０４を駆動する（▲３▼）。光ピックアップ１０４が駆動され移動することによって発生するトラッククロス信号１１３は、トラック数検出装置１１４によってカウントされ（▲４▼）、光ピックアップ制御装置１０５にフィードバックされる（▲５▼）。光ピックアップ制御装置１０５は、移動トラック数１１５とトラック数検出装置１１４によってカウントされたトラックカウント１１８が一致するまで、光ピックアップ１０４を駆動する。ブレーキ本数１１６は、残り移動本数、すなわち、移動トラック数１１５とトラックカウント１１８の差、がブレーキ本数１１６と一致した時に、光ピックアップ１０４を停止する駆動信号を出力するために利用される。
【００２７】
光ピックアップ制御装置１０５は、指定された移動トラック数１１５の本数に応じて、トラバースシークまたはトラックジャンプを実行する。トラバースシークは、移動トラック数が多い場合に、光ピックアップ１０４が高速で動作するよう駆動信号を出力し、トラックカウント１１８を検出する。一方、トラックジャンプは、移動トラック数が数本の場合に、１本ずつトラックを移動させる駆動信号出力を、移動トラック数１１５回分繰り返す。すなわち、トラバースシークは高速で精度が粗い移動に、トラックジャンプは低速で精度が細かい移動に利用される。
【００２８】
光ピックアップ制御装置１０５は、移動トラック数１１５とトラックカウント１１８が一致すると、光ピックアップ１０４の駆動を停止し、制御モードをトラッキング制御モードに戻し、コントローラ１０９に終了を通知する（▲６▼）。ここまでの光ピックアップ制御装置１０５の動作は、従来の光ディスク装置のディスクアクセス制御方法と同様である。
【００２９】
従来の光ディスク装置のディスクアクセス制御方法においては、終了通知を受け取ったコントローラ１０９が、再度、アドレス検出装置１０６から現在アドレス１０８を取得し、現在アドレス１０８と目標アドレス１１０が一致しているかどうか判定し、両者が一致していない場合には、上記▲１▼から▲６▼を、現在アドレス１０８と目標アドレス１１０が一致するまで繰り返していた。本発明の光ディスク装置のディスクアクセス制御方法における光ピックアップ制御装置１０５は、コントローラ１０９に終了を通知すると同時に、アドレス検出装置１０６から現在アドレス１０８を取得し（▲６▼’）、光ピックアップ制御装置１０５内に保持している目標アドレス１１９と比較する。光ピックアップ制御装置１０５は、現在アドレス１０８が目標アドレス１１９に近く、トラックジャンプの繰り返しによって現在アドレス１０８を目標アドレス１１９に一致させることが可能と判断すると（例えば、アドレスの下位８ビット以外が一致など）、コントローラ１０９が両アドレスからトラック番号を算出し、そのトラック差を移動トラック数１１５として設定されるのを待つことなく、トラックジャンプ動作を開始する。トラックジャンプは、１トラックずつ実行され、現在アドレス１０８が目標アドレス１１９に一致するまで繰り返される。
【００３０】
なお、上記説明中の現在アドレス、目標アドレスは、ディスクの内外周の関係がわかれば良いので、請求項２〜４に示したように、ＣＤ−ＲＯＭ装置における再生時間情報（サブコード内のＭＳＦ）、ＤＶＤ−ＲＡＭ装置におけるＣＡＰＡ（Ｃｏｍｐｌｅｍｅｎｔａｒｙ　Ａｌｌｏｃａｔｅｄ　Ｐｉｔ　Ａｄｄｒｅｓｓ）情報、ＤＡＴＡ　ＩＤ情報を利用して同様のディスクアクセス制御方法が可能である。
【００３１】
以上のような構成による本発明における光ディスク装置のディスクアクセス制御方法を用いると、図７の本発明の光ディスク装置におけるディスクアクセス制御方法のタイミングチャートに示すように、コントローラがアドレス検出装置から現在アドレスを取得するために費やす時間（▲１▼）、コントローラが光ピックアップ制御装置へ移動方向、移動トラック数、ブレーキ本数、目標アドレスを複写するために費やす時間（▲２▼’）を省くことができ、また、コントローラが光ピックアップ制御装置から終了通知を受信する間（▲６▼）に、光ピックアップ制御装置１０５が次のトラックジャンプ動作を開始することができるので、ディスクアクセス全体の時間を短縮することができる。
【００３２】
（実施の形態２）
以下に、本発明の実施の形態２にかかる光ディスク装置のディスクアクセス制御方法について、図２を用いて説明する。本実施の形態２の光ディスク装置の構成は、上述した実施の形態１の図１に示したものとほぼ同様の構造を持ち、実施の形態１と異なる点は、光ピックアップ制御装置１０５内に目標アドレスの範囲を格納する領域である目標範囲２０１が追加されている点である。
【００３３】
すなわち、目標範囲２０１は、光ピックアップ制御装置１０５がアドレス検出装置１０６から現在アドレス１０８を取得し、目標アドレス１１９と比較する際に、実施の形態１では目標アドレス１１９と現在アドレス１０８が一致することを条件としていた代わりに、現在アドレス１０８が（目標アドレス１１９±目標範囲２０１）、すなわち、（目標アドレス１１９−目標範囲２０１）から（目標アドレス１１９＋目標範囲２０１）の間に位置することを条件としてアクセスを終了させるために利用される。例えば、現在アドレス１０８が目標アドレス１１９に対して±２トラック以内の間に位置すればアクセス完了とするには、１トラック約２０セクタなので、目標範囲２０１として４０（＝２×２０）に設定しておく。
【００３４】
以上のような構成による本発明における光ディスク装置のディスクアクセス制御方法を用いると、光ピックアップ１０４が目標アドレス１１９のあるトラックに位置しているにもかかわらず、ディスクの回転位置とアドレス検出装置１０６のアドレス読み出し位置が一致しなくて、目標アドレス１１９と現在アドレス１０８が異なる場合でも、アクセス完了として処理を終了することが可能になり、ディスクアクセス全体の時間を短縮することができる。
【００３５】
（実施の形態３）
以下に、本発明の実施の形態３にかかる光ディスク装置のディスクアクセス制御方法について、図３を用いて説明する。本実施の形態３の光ディスク装置の構成は、上述した実施の形態２の図２に示したものとほぼ同様の構造を持ち、実施の形態２と異なる点は、光ピックアップ制御装置１０５内の目標範囲２０１をあらかじめコントローラ１０９から設定可能な構成とした点である。
【００３６】
すなわち、光ピックアップ制御装置１０５がアドレス検出装置１０６から現在アドレス１０８を取得し、目標アドレス１１９と比較する際に、アクセス制御の終了条件として、（目標アドレス１１９±目標範囲２０１）をコントローラ１０９から設定可能とした。
【００３７】
以上のような構成による本発明における光ディスク装置のディスクアクセス制御方法を用いると、ディスクの内周と外周で１トラック当たりのセクタ数が異なるディスクの場合、目標アドレス１１９に対して±２トラック以内といったアクセス完了条件を、目標アドレス１１９の位置に応じてコントローラ１０９から設定することができ、アクセス制御の精度を高めることができる。
【００３８】
（実施の形態４）
以下に、本発明の実施の形態４にかかる光ディスク装置のディスクアクセス制御方法について、図４を用いて説明する。本実施の形態４の光ディスク装置の構成は、上述した実施の形態３の図３に示したものとほぼ同様の構造を持ち、実施の形態３と異なる点は、光ピックアップ制御装置１０５の目標範囲２０１を目標上限４０１および目標下限４０２として別々に設定可能な構成とした点である。
【００３９】
すなわち、光ピックアップ制御装置１０５がアドレス検出装置１０６から現在アドレス１０８を取得し、目標アドレス１１９と比較する際に、現在アドレス１０８が目標上限４０１が示すアドレスから目標下限４０２が示すアドレスの間に位置すればアクセス完了とすることができる構成である。
【００４０】
以上のような構成による本発明における光ディスク装置のディスクアクセス制御方法を用いると、現在アドレス１０８が目標アドレス１１９の内側に位置する場合は、ディスク回転待ちにより容易に到達できることを考慮し、目標アドレス１１９に対して目標下限４０２を前よりに設定するといった、より細かな制御ができ、アクセス制御の精度を高めることができる。
【００４１】
【発明の効果】
以上のように本発明の光ディスク装置によれば、コントローラが光ピックアップを移動させて、目標アドレスと現在アドレスが一致するよう制御する際に、コントローラがアドレス検出装置から現在アドレスを取得するために費やす時間、コントローラが光ピックアップ制御装置へ移動方向、移動トラック数、ブレーキ本数、目標アドレスを複写するために費やす時間を省くことができ、また、コントローラが光ピックアップ制御装置から終了通知を受信する間に、光ピックアップ制御装置が次のトラックジャンプ動作を開始することができるので、ディスクアクセス全体の時間を短縮することができるという効果が得られる。
【００４２】
また、本発明の光ディスク装置によれば、光ピックアップ制御装置内に目標アドレスの範囲を格納する領域を備え、アドレス検出装置から取得した現在アドレスが目標範囲内に収まるように光ピックアップを移動させることができる構成としたため、光ピックアップが目標アドレスのあるトラックに位置しているにもかかわらず、ディスクの回転位置とアドレス検出装置のアドレス読み出し位置が一致しなくて、目標アドレスと現在アドレスが異なる場合でも、アクセス完了として処理を終了することが可能になり、ディスクアクセス全体の時間を短縮することができるという効果が得られる。
【００４３】
また、本発明の光ディスク装置によれば、光ピックアップ制御装置内の目標範囲をあらかじめコントローラから設定可能な構成としたため、ディスクの内周と外周で１トラック当たりのセクタ数が異なるディスクの場合、目標アドレスに対するアクセス完了条件を、目標アドレスの位置に応じてコントローラから設定することができ、アクセス制御の精度を高めることができるという効果が得られる。
【００４４】
また、本発明の光ディスク装置によれば、光ピックアップ制御装置の目標範囲を目標上限および目標下限として別々に設定可能な構成としたため、現在アドレスが目標アドレスの内側に位置する場合は、ディスク回転待ちにより容易に到達できることを考慮し、目標アドレスに対して目標下限を前よりに設定するといった、より細かな制御ができ、アクセス制御の精度を高めることができるという効果が得られる。
【図面の簡単な説明】
【図１】本発明の実施の形態１にかかる光ディスク装置の構成を示すブロック図
【図２】本発明の実施の形態２にかかる光ディスク装置の構成を示すブロック図
【図３】本発明の実施の形態３にかかる光ディスク装置の構成を示すブロック図
【図４】本発明の実施の形態４にかかる光ディスク装置の構成を示すブロック図
【図５】従来の光ディスク装置の構成を示すブロック図
【図６】従来の光ディスク装置におけるディスクアクセス制御方法のタイミングチャート
【図７】本発明の光ディスク装置におけるディスクアクセス制御方法のタイミングチャート
【符号の説明】
１０１　光ディスク
１０２　スピンドルモータ制御装置
１０３　スピンドルモータ
１０４　光ピックアップ
１０５　光ピックアップ制御装置
１０６　アドレス検出装置
１０７　読み出されたデータ
１０８　現在アドレス
１０９　コントローラ
１１０　目標アドレス
１１１　アドレス−トラック変換装置
１１２　ブレーキ本数算出装置
１１３　トラッククロス信号
１１４　トラック数検出装置
１１５　移動トラック数
１１６　ブレーキ本数
１１７　移動方向
１１８　トラックカウント
１１９　目標アドレス
２０１　目標範囲
４０１　目標上限
４０２　目標下限
【図１】
2004022091.tif 000003
【図２】
2004022091.tif 000004
【図３】
2004022091.tif 000005
【図４】
2004022091.tif 000006
【図５】
2004022091.tif 000007
【図６】
2004022091.tif 000008
【図７】
2004022091.tif 000009